(57)【要約】【課題】簡易な嵌合動作のみでロックでき、衝撃や振動によってもロックが解除されないコネクタを提供する。【解決手段】筐体形状のプラグと、一対のレール状の側面を備えるレセプタクルで構成されるコネクタであって、プラグはその外側面に突起を備え、レセプタクルはレセプタクル側面と近接対向してプラグ接続方向端がレセプタクル側面に固定されプラグ脱出方向端がレセプタクル側面から突出延伸されたレバーと、レバーの上方に間隙を介してレバーを覆うように形成された爪を備え、レバーはそのプラグ脱出方向端に形成されたレバー先端部と、レバー先端部側を上段部としプラグ接続方向端側を下段部として形成された段差を備え、プラグとレセプタクルとの嵌合過程において突起がレバー先端部を押し下げることにより上段部と爪の下面との間に設けられる間隙の鉛直方向幅が突起の鉛直方向幅と等しいかまたはそれ以上となるように拡張されることを特徴とする。【選択図】図７
2014072131.tif 000002
【特許請求の範囲】
【請求項１】
筐体形状のプラグと、一対のレール状の側面を備えるレセプタクルで構成されるコネクタであって、
前記プラグは、その外側面に突起を備え、
前記レセプタクルは、レセプタクル側面と近接対向して、プラグ接続方向端部がレセプタクル側面に固定され、プラグ脱出方向端部がレセプタクル側面から突出延伸されたレバーと、
前記レバーの上方に間隙を介して、前記レバーを覆うように形成された爪を備え、
前記レバーは、そのプラグ脱出方向端部に形成されたレバー先端部と、
前記レバー先端部側の上面を上段部とし、前記レバーのプラグ接続方向端部側の上面を下段部として形成された段差を備え、
前記プラグと前記レセプタクルとの嵌合過程において、前記突起が前記レバー先端部を押し下げることにより、前記上段部と前記爪の下面との間に設けられる間隙の鉛直方向幅が、前記突起の鉛直方向幅と等しいか、またはそれ以上となるように拡張され、
前記レバーが上方向に弾性復帰した状態において、前記爪の下面と前記下段部との間に設けられる間隙の鉛直方向幅が、前記突起の鉛直方向幅と等しいか、またはそれ以上となること
を特徴とするコネクタ。
【請求項２】
請求項１に記載のコネクタであって、
前記プラグの外側面に溝部を設け、
前記レセプタクル内側面に前記溝部と嵌合する位置決め部を設けたこと
を特徴とするコネクタ。
【請求項３】
請求項１または２に記載のコネクタであって、
前記レセプタクルが、前記レセプタクル側面のプラグ接続方向端部の上面をレセプタクル内側方向に延伸して形成された庇形状の上面部をさらに備え、
前記プラグと前記レセプタクルとの嵌合時において、前記上面部の下側に前記プラグのプラグ接続方向端部が収容されること
を特徴とするコネクタ。
【発明の詳細な説明】
【技術分野】
【０００１】
本発明はプラグとレセプタクルからなるコネクタに関する。
【背景技術】
【０００２】
従来のコネクタにおいて、プラグとレセプタクルを嵌合する場合、作業者はプラグを指で把持し、レセプタクルとの位置合わせを行い、プラグをレセプタクルに挿し込み、次にプラグからレセプタクルの金属フレームに持ち替えて、当該金属フレームを回転、またはスライドさせ、プラグに当該金属フレームを覆い被せて、プラグをロックする必要があった（例えば特許文献１）。
【０００３】
また、従来のコネクタには、作業者がプラグを把持し、レセプタクルに挿す（嵌め込む）動作を行うだけで、レセプタクルに設けられた弾性するロック爪により上方向への抜けを防止することが可能なものもある（例えば特許文献２）。
【先行技術文献】
【特許文献】
【０００４】
【特許文献１】特開２０１２−１６４４８８号公報
【特許文献２】特開２０１１−２４３４１５号公報
【発明の概要】
【発明が解決しようとする課題】
【０００５】
特許文献１のコネクタでは、コネクタの嵌合に手間がかかってしまう。一方、特許文献２のコネクタでは、嵌合状態において、レセプタクルのコンタクトに押し上げられることにより、プラグには常に上向きに圧力がかかっており、少しの衝撃・振動でもロック爪が弾性変形してロックが解除され、プラグが抜けてしまう。そこで本発明では、簡易な嵌合動作のみでロックでき、衝撃や振動によってもロックが解除されないコネクタを提供することを目的とする。
【課題を解決するための手段】
【０００６】
本発明のコネクタは、筐体形状のプラグと、一対のレール状の側面を備えるレセプタクルで構成される。
【０００７】
プラグは、その外側面に突起を備え、レセプタクルは、レセプタクル側面と近接対向して、プラグ接続方向端部がレセプタクル側面に固定され、プラグ脱出方向端部がレセプタクル側面から突出延伸されたレバーと、レバーの上方に間隙を介して、レバーを覆うように形成された爪を備える。
【０００８】
レバーは、そのプラグ脱出方向端部に形成されたレバー先端部と、レバー先端部側の上面を上段部とし、レバーのプラグ接続方向端部側の上面を下段部として形成された段差を備える。
【０００９】
プラグとレセプタクルとの嵌合過程において、突起がレバー先端部を押し下げることにより、上段部と爪の下面との間に設けられる間隙の鉛直方向幅が、突起の鉛直方向幅と等しいか、またはそれ以上となるように拡張され、レバーが上方向に弾性復帰した状態において、爪の下面と下段部との間に設けられる間隙の鉛直方向幅が、突起の鉛直方向幅と等しいか、またはそれ以上となることを特徴とする。
【発明の効果】
【００１０】
本発明のコネクタによれば、簡易な嵌合動作のみでロックでき、衝撃や振動によってもロックが解除されない。
【図面の簡単な説明】
【００１１】
【図１】斜め上方向からみた実施例１のプラグの分解斜視図。
【図２】斜め下方向からみた実施例１のプラグの分解斜視図。
【図３】実施例１のプラグの外観を示す斜視図。
【図４】実施例１のレセプタクルの外観を示す斜視図。
【図５】実施例１のプラグとレセプタクルの嵌合状態を示す斜視図。
【図６】実施例１のプラグとレセプタクルの嵌合時の動作について示す図。
【図７】実施例１のコネクタの突起、レバー、爪が互いに係合された状態における係合位置の拡大図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
以下、図１から図３を参照して、本発明の実施例１に係るコネクタを構成するプラグについて説明する。図１は斜め上方向からみた本実施例のプラグ１００の分解斜視図である。図２は斜め下方向からみた本実施例のプラグ１００の分解斜視図である。図３は本実施例のプラグ１００の外観を示す斜視図である。
【００１４】
図１に示すように、本実施例のプラグ１００は、カバー１０と、基盤２０と、ケーブル束３０と、ケーブル束４０と、ケーブルケース５０を備える。カバー１０は例えば金属製であって、方形状の上面部１１を備える。上面部１１の短手方向両端は延伸されて、直角に折り曲げられて対向形成された側面部１２を形成している。上面部１１の長手方向一端は長手方向に上面部１１から突出延伸されてケーブル収容部上面１７が張り出し形成されている。ケーブル収容部上面１７はカバー１０の短手方向に延伸されて直角に折り曲げて形成されたケーブル収容部側面１８を備える。
【００１５】
側面部１２の略中央下端には、側面部１２の高さ方向幅の略半分ほどの幅の矩形状の切欠部１５が形成されている。側面部１２の高さ方向中央付近に、側面部１２の長手方向一列に、カバー１０外側に向かって突出する矩形凸部１４ａ、１４ｂ、カバー１０内腔に向かって突出する矩形凹部１３ａ、１３ｂ、１３ｃが形成されている。これらの矩形凸部、矩形凹部はプレス加工などで形成され、表面からみた場合に凸部として形成された場合、裏側からみれば凹部となっており、この逆に表面からみた場合に凹部として形成された場合、裏側からみれば凸部となっている。これら矩形凸部、切欠部、矩形凹部は、ケーブル収容部側面１８に近い側から、矩形凸部１４ｂ、矩形凹部１３ｃ、矩形凸部１４ａ、切欠部１５、矩形凹部１３ｂ、矩形凹部１３ａの順となるよう形成されている。さらに、側面部１２のケーブル収容部側面１８に近い一端の高さ方向中央付近に側面部１２をカバー長手方向に延伸してカバー１０外側に向かって略直角に折り曲げられて矩形板形状の突起１６が形成されている。さらに、図３に示すように、側面部１２のケーブル収容部側面１８から遠い側の一端の高さ方向中央付近に側面部１２をカバー長手方向に延伸してカバー１０内側方向に略直角に折り曲げられ、さらに折り曲げられた先端を鉛直下方向に突出延伸した半田付け端子１９が形成されている。
【００１６】
図１に示すように、基盤２０は方形形状の板である。基盤２０上面の長手方向一端には長円形状の端子差込穴２１が二つ、基盤２０の短手方向一列に、その短径方向が基盤２０の長手方向となるように形成されている。基盤２０の長手方向略中央側面には、前述した切欠部１５と長手方向の幅が略等しくなるような矩形状の溝部２２が形成されている。
【００１７】
ケーブル束３０の各ケーブルは、基盤２０の短手方向一列に互いに近接して配置されている。ケーブル束３０の各ケーブルは、そのケーブル先端３１が長手方向に揃い、基盤２０上面の中央付近に位置するように並べられている。ケーブル束３０のケーブル先端３１において、その絶縁被覆は剥離され、表出されたケーブル芯は、基盤２０上面の図示しないケーブル接続端子にそれぞれ半田付け接続される。ケーブル束３０は例えばＡＷＧ３０単純線、ＡＷＧ３２〜３８シールド付単純線、ＡＷＧ３４細線同軸線などである。また、細線同軸線の代わりに光ファイバーを用いることもできる
図２に示すように基盤２０下面には、端子差込穴２１が形成された端部寄りに、基盤短手方向１列に第１端子列２３ａが形成されている。また、第１端子列２３ａに平行し、かつ第１端子列２３ａに近接して、基盤短手方向１列に第２端子列２３ｂが形成されている。これらの第１、第２端子列２３ａ、２３ｂは、後述するレセプタクルのコンタクト８０の第１プラグ接続端子列８３ａ、第２プラグ接続端子列８３ｂとそれぞれ接触して電気信号を導通する。
【００１８】
ケーブル束４０の各ケーブルは、基盤２０の短手方向一列に互いに近接して配置されている。ケーブル束４０の各ケーブルは、そのケーブル先端４１が長手方向に揃い、基盤２０下面の中央付近に位置するように並べられている。ケーブル束４０のケーブル先端４１において、その絶縁被覆は剥離され、表出されたケーブル芯は、基盤２０下面の図示しないケーブル接続端子にそれぞれ半田付け接続される。ケーブル束４０は、ケーブル束３０と纏められる。ケーブル束４０は例えばＡＷＧ４４細線同軸線などである。
【００１９】
図１に示すように、ケーブルケース５０は例えば金属製であって、方形状の底板部５１を備える。ケーブル延長方向と垂直な方向の底板部５１両端は延伸されて、直角に折り曲げられて対向形成された側面部５２を備える。底板部５１のケーブル延長方向一端はケーブル延長方向に底板部５１から突出延伸されてケーブル収容部下面５７が形成されている。ケーブル収容部下面５７はケーブル延長方向と垂直な方向に水平に延伸されて、直角に折り曲げられて対向形成されたケーブル収容部側面５８を備える。
【００２０】
側面部５２の高さ方向中央付近に、側面部５２の長手方向一列に、前述した矩形凸部外周と略等しい内のりを有する矩形穴５４ａ、５４ｂが形成されている。矩形穴は、ケーブル収容部側面５８に近い側から、矩形穴５４ｂ、矩形穴５４ａの順となるよう形成されている。
【００２１】
次に図３を参照して、プラグ１００の組立について説明する。カバー１０の矩形凸部１４ａは、ケーブルケース５０の矩形穴５４ａに嵌め込まれる。同様に、カバー１０の矩形凸部１４ｂは、ケーブルケース５０の矩形穴５４ｂに嵌め込まれる。このときカバー１０が備える突起１６は、ケーブルケース５０の側面部５２とケーブル収容部側面５８との間に形成された間隙からケーブルケース外側に向かって突出する。また、ケーブル収容部側面５８は、ケーブル収容部側面１８を内包するように重ね合わせられる。この重ねあわされた側面（１８、５８）と、ケーブル収容部上面１７、ケーブル収容部下面５７とが一体となって、断面矩形形状のスリーブを形成している。このスリーブ内腔に、前述したケーブル束３０、４０が纏められて収容されている。このようにしてカバー１０とケーブルケース５０とは組み立てられる。
【００２２】
一方、カバー１０の半田付け端子１９は基盤２０の端子差込穴２１に、基盤２０上面側から挿し込まれ半田付けされて接着される。基盤２０上面及び側面はカバー１０内腔に収容される。このとき、基盤２０の上面は、カバー１０内腔側に突出する矩形凹部１３ａ、１３ｂ、１３ｃの下端に接触して、基盤２０のカバー１０内腔への深い侵入が妨げられるため、カバー１０内腔には、所定の空間が確保されることになる。この空間には、ケーブル束３０のケーブル先端３１を含む一部分が収容される。このとき、カバー１０の切欠部１５と、基盤２０の溝部２２は互いに重なりあうような位置に配置される。従って、基盤２０の溝部２２は、カバー１０の側面１２から切欠部１５を介して露出されている。このようにして各パーツは組み立てられ、図３のように略筐体形状のプラグ１００を形成する。
【００２３】
次に、図４を参照して本発明の実施例１に係るコネクタを構成するレセプタクルについて説明する。図４は本実施例のレセプタクル２００の外観を示す斜視図である。レセプタクル２００の説明にあたり、コネクタ嵌合時のプラグ先端方向をプラグ接続方向と呼ぶこととし、プラグ先端方向と逆の方向をプラグ脱出方向と呼ぶこととする。図４に示すようにレセプタクル２００はプラグ収容ケース６０と、ボディ７０と、コンタクト８０を組み合わせて形成される。
【００２４】
プラグ収容ケース６０は、例えば金属製とすることができる。プラグ収容ケース６０は、ガイドレール６２と、上面部６１と、レバー６４により構成される。ガイドレール６２は、略平行に配置された一対の略短冊形状（レール形状）の板片である。ガイドレール６２のプラグ接続方向端部の上面をプラグ収容ケース６０の内側方向に延伸して接続され、方形庇形状の上面部６１が形成されている。上面部６１は、そのプラグ脱出方向一端に斜め上方向に立ち上げられた鍔状のガイドフレーム６１−１を備える。
【００２５】
さらに、ガイドレール６２はその長手方向中心付近から上面部６１に至るまで、ガイドレール６２の上面をプラグ収容ケース６０の内側方向に延伸して形成された庇形状の爪６８を備える。爪６８のプラグ脱出方向一端には、爪６８をさらにプラグ収容ケース６０の内側方向に延伸して、鉛直下方向に略直角に折り曲げられて位置決め部６３が形成されている。プラグ１００とレセプタクル２００が嵌合状態にあるとき、この位置決め部６３は、前述したプラグ１００の溝部２２と嵌合する。従って位置決め部６３は、上述の溝部２２の内のりより若干小さい寸法である。
【００２６】
上面部６１と、一対のガイドレール６２と、爪６８とで囲まれる領域をケース内腔６９と呼び、ケース内腔６９には、後述するボディ７０、コンタクト８０が収容される。
【００２７】
さらに、ガイドレール６２は、そのプラグ脱出方向端部の上面をプラグ収容ケース６０の内側方向に延伸して形成された庇形状の爪６５を備える。さらにガイドレール６２は、そのプラグ脱出方向端部、およびプラグ接続方向端部の下面をプラグ収容ケース６０の内側方向に延伸して形成された半田付け端子６６を備える。さらにガイドレール６２は、半田付け端子６６に近接して、プラグ脱出方向端部に近接する下面をプラグ収容ケース６０の内側方向に延伸して形成されたプラグ裁置台６７を備える。プラグ裁置台６７は、半田付け端子６６より鉛直上方向にわずかに持ちあげられて形成されている。上述したプラグ１００は当該プラグ裁置台６７上面に裁置されて、プラグ１００とレセプタクル２００とが良好に接触されるように上下方向に適切に位置決めされる。
【００２８】
さらに、ガイドレール６２の各内側面に近接対向して、ガイドレール６２と略平行に、一対の略短冊形状のレバー６４が形成されている。レバー６４のプラグ接続方向端は、ガイドレール６２の長手方向中心付近の上面において、ガイドレール６２と接続されている。レバー６４のプラグ脱出方向端は、ガイドレール６２のプラグ脱出方向端から突出延伸されてレバー先端部６４−１を形成している。レバー６４はプラグ接続方向端のみがガイドレール６２に接続固定されているため、レバー先端部６４−１に対して上方向から押圧が加われば、レバー６４が弾性変形することにより、レバー先端部６４−１は下方向に若干沈み込む。上方向の押圧がなくなれば、レバー６４の弾性力により、レバー先端部６４−１は上方向に復帰する。同様に、レバー先端部６４−１に対して横方向から押圧が加われば、レバー先端部６４−１はその方向に弾性変形し、横方向からの押圧がなくなれば、元の位置に復帰する。
【００２９】
レバー６４の長手方向中ほど上面には、鉛直下方向に向かって、わずかに切欠が設けられ、レバー先端部６４−１側が上段部６４−２、レバー中側（プラグ接続方向端側）が下段部６４−３となる段差が形成されている。このとき、前述した爪６５は、上段部６４−２、下段部６４−３を覆うようにレバー６４の上方に位置しており、爪６５の下面と、上段部６４−２とはわずかに間隙を介して対向している。同様に、爪６５の下面と、下段部６４−３もわずかに間隙を介して対向している。レバー６４に押圧が加わっていない場合、爪６５の下面と上段部６４−２との間に設けられる間隙の鉛直方向幅は、前述した突起１６の鉛直方向幅より小さく、爪６５の下面と下段部６４−３との間に設けられる間隙の鉛直方向幅は、前述した突起１６の鉛直方向幅と同程度か、これよりも若干大きい程度の幅となる。一方、レバー６４に鉛直下方向きに押圧が加われば、レバー先端部６４−１が下方向に若干沈み込むことにより、爪６５の下面と上段部６４−２との間に設けられる間隙の鉛直方向幅は、前述した突起１６の鉛直方向幅と同程度か、それ以上に拡張される。
【００３０】
ボディ７０は略方形形状であって、例えば樹脂製とすることができ、ボディ７０の上面略中央部からプラグ接続方向端部にかけて、プラグ接続−脱出方向を長手方向とする複数の溝からなる第１溝列７１が各溝を短手方向一列に配列されて設けられている。同様に、ボディ７０の上面略中央部からプラグ脱出方向端部にかけて、プラグ接続−脱出方向を長手方向とする複数の溝からなる第２溝列７２が各溝を短手方向一列に配列されて設けられている。
【００３１】
コンタクト８０は、前述した第１溝列７１の各溝に圧入されて取り付けられた複数の可動端子からなる第１可動端子列８１と、前述した第２溝列７２の各溝に圧入されて取り付けられた複数の可動端子からなる第２可動端子列８２とからなる。第１可動端子列８１の各可動端子はニードル形状であって、プラグ接続方向端部に基盤接続端子列、プラグ脱出方向端部に第１プラグ接続端子列８３ａを備える。第１可動端子列８１はプラグ接続方向端から斜め上方に立ち上げられた状態でボディ７０に圧入固定されるため、第１プラグ接続端子列８３ａは、ボディ７０の上面よりやや上側に突出しており、前述したプラグ１００の第１端子列２３ａと良好に接続され、電気信号を導通する。同様に、第２可動端子列８２の各可動端子はニードル形状であって、プラグ脱出方向端部に基盤接続端子列、プラグ接続方向端部に第２プラグ接続端子列８３ｂを備える。第２可動端子列８２はプラグ脱出方向端から斜め上方に立ち上げられた状態でボディ７０に圧入固定されるため、第２プラグ接続端子列８３ｂは、ボディ７０の上面よりやや上側に突出しており、前述したプラグ１００の第２端子列２３ｂと良好に接続され、電気信号を導通する。第１プラグ接続端子列８３ａ、第２プラグ接続端子列８３ｂは、長手方向に所定距離離間され、いずれもボディ７０の略中央付近に向き合わされて配置されている。
【００３２】
次に、図５から図７を参照して、本実施例のレセプタクル２００の基盤３００への取り付け、および本実施例のプラグ１００とレセプタクル２００の嵌合動作について説明する。図５は本実施例のプラグ１００とレセプタクル２００の嵌合状態を示す斜視図である。図６は本実施例のプラグ１００とレセプタクル２００の嵌合時の動作について示す図である。図６Ａはプラグ１００をレセプタクル２００に挿し込む直前、図６Ｂはプラグ１００の基盤２０の先端が、レセプタクル２００のケース内腔６９に挿し込まれた状態、図６Ｃは、プラグ１００を基盤２０の先端を中心として下方向に回転させ、プラグ１００が備える突起１６がレバー先端部６４−１を下方向に押し下げている状態、図６Ｄは、図６Ｃの状態から、プラグ１００を横方向（プラグ接続方向）にスライドし、レバー６４と突起１６と爪６５とが互いに係合された状態をそれぞれ示すものである。図７は本実施例のコネクタの突起１６、レバー６４、爪６５が互いに係合された状態における係合位置の拡大図である。
【００３３】
図５に示すように、レセプタクル２００の半田付け端子６６の下面は、基盤３００上面に半田付け固定されて実装される。このとき、上述した第１、第２可動端子列８１、８２の基盤接続端子列は、基盤３００上面に形成された端子パターンに半田付けされて接続固定される。また、プラグ１００の下部は嵌合状態において、レセプタクル２００のケース内腔６９に収容される。
【００３４】
次に、プラグ１００とレセプタクル２００の嵌合動作について説明する。図６Ａの矢印に示すように、端子差込穴２１が形成された側の基盤２０端部を先端として、斜め上方向から基盤２０先端をケース内腔６９に挿入する（図６Ｂの状態）。次に、図６Ｂの矢印に示すように、基盤２０先端を回転中心として、プラグ１００と基盤３００とが略平行になるまでプラグ１００を下方向に回転動作させる。この過程において、プラグ１００に設けられた突起１６の下面は、レバー先端部６４−１の上面と接触し、接触点には鉛直下方向に所定の押圧が加えられる。これにより、レバー先端部６４−１が下方向に若干沈み込み、爪６５の下面と上段部６４−２との間に設けられる間隙の鉛直方向幅が若干拡張される（図６Ｃの状態）。次に、図６Ｃの矢印に示すように、プラグ１００をプラグ接続方向にスライドさせることにより、プラグ１００に伴って、突起１６がプラグ接続方向にスライドして、突起１６が爪６５の下面と上段部６４−２との間に設けられる間隙を通過する。突起１６がプラグ接続方向にスライドする過程において、段差（上段部６４−２と下段部６４−３の境界）を通過すると、突起１６は、下段部６４−３に落下するため、鉛直下方向に加えられたレバー６４への押圧がなくなり、レバー先端部６４−１が鉛直上方向に弾性復帰する（図６Ｄの状態）。
【００３５】
図７は、図６Ｄの係合状態において、カバー１０と、プラグ収容ケース６０のみを表示して、突起１６、レバー６４、爪６５の係合位置周辺を拡大して表示した図である。図７Ａは、カバー１０のみを表示した拡大図である。図７Ｂは、カバー１０と、プラグ収容ケース６０のみを表示した拡大図である。図７Ｂに示すように、突起１６はその上面と下面をそれぞれ、爪６５の下面、レバー６４の下段部６４−３とで挟持されており、これによりプラグ１００の上方向への抜けが防止される。さらに、突起１６のプラグ脱出方向側面は、レバー６４の上段部６４−２と下段部６４−３による段差の蹴上部分により係合固定されており、これによりプラグ１００の水平方向（プラグ脱出方向）への抜けが防止される。
【００３６】
また、プラグ１００の基盤２０の先端が、ケース内腔６９に挿入されていることにより、庇状に形成された上面部６１がプラグ１００の上方向への抜けを防止している。また、ガイドレール６２により、プラグ１００の水平方向へのずれが防止される。さらに、レセプタクル２００の位置決め部６３と、プラグ１００の溝部２２とが嵌合するため、位置決め部６３はプラグ挿入時の位置決めの目安として機能する。
【００３７】
また、嵌合時においてプラグ１００をレセプタクル２００で覆うため、プラグ１００の基盤２０上の部品や半田付け部分を保護することができる。
【００３８】
なお、プラグ１００をレセプタクル２００から取り外す場合には、まずレバー先端部６４−１を指で鉛直下方向に押し下げて、爪６５下面と上段部６４−２上面との間隙を拡張させた状態を保ちながら、プラグ１００をプラグ脱出方向にスライドさせて、突起１６、レバー６４、爪６５の係合を解除して、プラグ１００を簡単に脱出させることができる。
【符号の説明】
【００３９】
１００    プラグ
１０    カバー
１１    上面部
１２    側面部
１３ａ、１３ｂ、１３ｃ    矩形凹部
１４ａ、１４ｂ    矩形凸部
１５    切欠部
１６    突起
１７    ケーブル収容部上面
１８    ケーブル収容部側面
１９    半田付け端子
２０    基盤
２１    端子差込穴
２２    溝部
２３ａ    第１端子列
２３ｂ    第２端子列
３０    ケーブル束
３１    ケーブル先端
４０    ケーブル束
４１    ケーブル先端
５０    ケーブルケース
５１    底板部
５２    側面部
５４ａ、５４ｂ    矩形穴
５７    ケーブル収容部下面
５８    ケーブル収容部側面
２００    レセプタクル
６０    プラグ収容ケース
６１    上面部
６１−１    ガイドフレーム
６２    ガイドレール
６３    位置決め部
６４    レバー
６４−１    レバー先端部
６４−２    上段部
６４−３    下段部
６５    爪
６６    半田付け端子
６７    プラグ裁置台
６８    爪
６９    ケース内腔
７０    ボディ
７１    第１溝列
７２    第２溝列
８０    コンタクト
８１    第１可動端子列
８２    第２可動端子列
８３ａ    第１プラグ接続端子列
８３ｂ    第２プラグ接続端子列
【図１】
2014072131.tif 000003
【図２】
2014072131.tif 000004
【図３】
2014072131.tif 000005
【図４】
2014072131.tif 000006
【図５】
2014072131.tif 000007
【図６】
2014072131.tif 000008
【図７】
2014072131.tif 000009